(57)【要約】【課題】乗りかごが乗場に停止中に効率的に乗りかご内の空調を行う。【解決手段】所定階の乗場２２に、乗りかご及び乗場を空調可能な空気調和機３０が設けられている。この空気調和機３０は、空気調和制御装置３２によって制御される。空気調和制御装置３２は、乗りかご空調設定部３４や乗場空調設定部３６で設定された空調モード及びエレベータ制御装置１８やかご内温度センサやかご内圧力センサからの情報に基づいて、通常は、乗場２２の空調を行い、乗りかご１０が空気調和機３０が設置された所定階の乗場２２に停止したときに、乗りかご２２の空調を行うように制御する。【選択図】図２
2005298113.tif 000002
【特許請求の範囲】
【請求項１】
乗りかごが乗場に停止中に乗りかご内の空調を行うエレベータの乗りかご空調システムであって、
所定階の乗場に設けられ、乗りかごが所定階の乗場に停止中に空調された空気を乗りかご内に放出する乗りかご用吹き出し口と空調された空気を乗場に放出する乗場用吹き出し口を有し、乗場及びかご内の空気調和を行う空気調和機と、
乗りかごに設けられ、空気調和機の乗りかご用吹き出し口から放出された空気を取り入れる取り入れ口と、
を設けたことを特徴とするエレベータの乗りかご空調システム。
【請求項２】
請求項１に記載のエレベータの乗りかご空調システムであって、
乗りかごの停止階を検知する停止階検知手段と、
乗りかご用の空調モードを設定する乗りかご空調設定手段と、
乗場用の空調モードを設定する乗場空調設定手段と、
通常、乗場空調設定手段で設定された乗場用の空調を行い、乗りかごが所定階の乗場に停止している場合に、乗りかご空調設定手段で設定された乗りかご用の空調を行う制御手段と、
を備えることを特徴とするエレベータの乗りかご空調システム。
【請求項３】
請求項２に記載のエレベータの乗りかご空調システムであって、
乗りかごの行き先階を検知する行き先階検知手段を備え、
前記制御手段は、前記行き先階検知手段が所定階を検知したときに、前記空気調和機を乗りかご用の空調準備運転に切り換えることを特徴とするエレベータの乗りかご空調システム。
【請求項４】
請求項２又は３に記載のエレベータの乗りかご空調システムであって、
空気調和機は、設定温度になると空気調和機の機能を作動／停止させる間欠運転により空気調和を行う空気調和機であり、
前記制御手段は、前記行き先階検知手段が所定階を検知し、かつ、乗場空調中において乗場の室温が設定温度になり空気調和機の機能が停止されている場合に、空気調和機の機能を作動させ乗りかご用の空調準備運転に切り換えることを特徴とするエレベータの乗りかご空調システム。
【請求項５】
請求項２〜４のいずれか１項に記載のエレベータの乗りかご空調システムであって、
前記取り入れ口は、前記空気調和機の吹き出し口から放出された空調された空気を取り入れるダクトと、前記ダクトを連通、非連通に切り換えるダンパと、を備え、
前記制御手段は、乗りかご空調中にダンパを切り換えてダクトを連通状態にし、乗りかごの非空調中にダンパを切り換えてダクトを連通状態することを特徴とするエレベータの乗りかご空調システム。
【請求項６】
請求項２〜５のいずれか１項に記載のエレベータの乗りかご空調システムであって、
前記乗りかごには、乗りかご内の空気を排出する排気口が設けられ、
前記制御手段は、乗りかごの空調中のみ排気口を開け乗りかご内の空気を排出することを特徴とするエレベータの乗りかご空調システム。
【請求項７】
請求項２〜６のいずれか１項に記載のエレベータの乗りかご空調システムであって、
乗りかご内の圧力を検知する圧力検知手段を備え、
前記制御手段は、乗りかご空調中において、乗りかご内の圧力を昇降路の圧力より高く保つように排気口からの空気の排出量を調整することを特徴とするエレベータの乗りかご空調システム。
【発明の詳細な説明】
【技術分野】
【０００１】
本発明は、エレベータの乗りかご空調システムの改良に関する。
【背景技術】
【０００２】
従来から、エレベータの乗りかごの内の冷房や暖房等の空調システムが提案されている。
【０００３】
例えば、乗りかご自体に空気調和機を搭載して乗りかご内の空調を行うシステムが知られている。
【０００４】
また、特許文献１には、建物側の空調設備で空調した空気を建物内のダクトを流通させて、乗場側の空気吹き出し口から吹き出させ、乗りかごに設けられたフードから放出された空気を取り入れ、乗りかご内の空調を行うことが開示されている。
【０００５】
【特許文献１】特許第２７３０６８６号（段落００１６〜００１８、図３）
【発明の開示】
【発明が解決しようとする課題】
【０００６】
しかしながら、乗りかご自体に空気調和機を搭載する空調システムでは、例えば空気調和機から排出されるドレン水を処理する機構を設けなければならず、乗りかごや昇降路に複雑な機構が必要である。また、空気調和機は乗りかごに搭載されるので、空気調和機の重量や大きさ等がエレベータの運転に影響しないように空気調和機の重量や大きさ等を選択しなければならない。また、夏期等には昇降路内の温度が上昇し、空気調和機はこのような悪環境の中で運転しなければならない。従って、空気調和機における熱交換の際の負荷が大きくなるので省エネルギーでの運転を行うことができず、これによりその悪環境は空気調和機の寿命に悪影響を与えてしまう。
【０００７】
また、特許文献１に記載された空調システムでは、建物側の空調設備で空調された空気がダクトを介して乗りかごに供給されるので、建物側に乗りかごに空気を供給するためのダクトが設けられる。従って、既存建物に対してこの空調システムを設置することになると、建物側に大規模な工事が生じてしまう。また、このような空調システムでは、エレベータの運転は通常通り行い乗りかごが乗場に停止中の短時間に乗りかごの空調を行うことが望ましい。従って、このような空調システムにおいては、短時間に乗りかごの空調を行えるように制御を行うことが望ましい。
【０００８】
そこで本発明は、以上の課題を解決するためになされたので、乗りかごが乗場に停止中に効率的に乗りかご内の空調を行うエレベータの乗りかご空調システムを提供することを目的とする。
【課題を解決するための手段】
【０００９】
本発明のエレベータの乗りかご空調システムは、乗りかごが乗場に停止中に乗りかご内の空調を行うエレベータの乗りかご空調システムであって、所定階の乗場に設けられ、乗りかごが所定階の乗場に停止中に空調された空気を乗りかご内に放出する乗りかご用吹き出し口と空調された空気を乗場に放出する乗場用吹き出し口を有し、乗場及びかご内の空気調和を行う空気調和機と、乗りかごに設けられ、空気調和機の乗りかご用吹き出し口から放出された空気を取り入れる取り入れ口と、を設けたことを特徴とする。
【００１０】
また、本発明のエレベータの乗りかご空調システムは、乗りかごの停止階を検知する停止階検知手段と、乗りかご用の空調モードを設定する乗りかご空調設定手段と、乗場用の空調モードを設定する乗場空調設定手段と、通常、乗場空調設定手段で設定された乗場用の空調を行い、乗りかごが所定階の乗場に停止している場合に、乗りかご空調設定手段で設定された乗りかご用の空調を行う制御手段と、を備えることを特徴とする。
【００１１】
更に、本発明のエレベータの乗りかご空調システムは、乗りかごの行き先階を検知する行き先階検知手段を備え、制御手段は、行き先階検知手段が所定階を検知したときに、空気調和機を乗りかご用の空調準備運転に切り換えることを特徴とする。
【００１２】
更に、本発明のエレベータの乗りかご空調システムにおいて、空気調和機は、設定温度になると空気調和機の機能を作動／停止させる間欠運転により空気調和を行う空気調和機であり、制御手段は、行き先階検知手段が所定階を検知し、かつ、乗場空調中において乗場の室温が設定温度になり空気調和機の機能が停止されている場合に、空気調和機の機能を作動させ乗りかご用の空調準備運転に切り換えることを特徴とする。
【００１３】
更に、本発明のエレベータの乗りかご空調システムにおいて、取り入れ口は、空気調和機の吹き出し口から放出された空調された空気を取り入れるダクトと、ダクトを連通、非連通に切り換えるダンパと、を備え、制御手段は、乗りかご空調中にダンパを切り換えてダクトを連通状態にし、乗りかごの非空調中にダンパを切り換えてダクトを連通状態することを特徴とする。
【００１４】
更に、本発明のエレベータの乗りかご空調システムにおいて、乗りかごには、乗りかご内の空気を排出する排気口が設けられ、制御手段は、乗りかごの空調中のみ排気口を開け乗りかご内の空気を排出することを特徴とする。
【００１５】
更に、本発明のエレベータの乗りかご空調システムは、乗りかご内の圧力を検知する圧力検知手段を備え、制御手段は、乗りかご空調中において、乗りかご内の圧力を昇降路の圧力より高く保つように排気口からの空気の排出量を調整することを特徴とする。
【発明の効果】
【００１６】
本発明によれば、所定階の乗場に乗場及びかご内の空調を行う空気調和機を設けるので、乗りかご上に空気調和機を搭載することに比べて、空気調和機の機器や設置上の選択幅を広げることができる。また、既存建物に対してこの空調システムを設置する場合の工事を少なくすることができる。
【００１７】
乗場に空気調和機を設けるので、エレベータの運転を停止することなく空気調和機の保守点検を容易に行うことができる。
【００１８】
複数階の乗場に空気調和機を設けることができるので、一台の空気調和機が故障しても乗りかごの空調に対して影響が少ない。
【００１９】
乗りかごの空調用に空気調和機を制御するので、乗りかごの所定階の乗場の短い停止時間に、乗りかご用の空調を効率よく行うことができる。
【発明を実施するための最良の形態】
【００２０】
以下、発明を実施するための形態（以下、実施形態という）について、図面を参照し説明する。
【００２１】
図１は、本実施形態のエレベータの乗りかご空調システムを適用したエレベータの構成を示す図であり、図２は、本実施形態のエレベータの乗りかご空調システムの機能を示すブロック図である。
【００２２】
図１に示すように、エレベータは、乗りかご１０とカウンターウェイト１２が主索１４で接続され、主索１４が巻き上げ機１６に巻き掛けられている。エレベータ制御装置１８は、乗場呼び又はかご呼びに応答して巻き上げ機１６を駆動し、乗りかご１０を昇降駆動させる。乗りかご１０は、昇降路２０を昇降し、乗場呼び又はかご呼びに対応して乗場２２に停止する。
【００２３】
本実施形態において特徴的なことは、所定階の乗場２２に、乗りかご及び乗場を空調可能な空気調和機３０が設けられている点である。この空気調和機３０は、空気調和制御装置３２によって制御されている。空気調和制御装置３２は、図２に示すように、乗りかご用の空調モードを設定する乗りかご空調設定部３４と、乗場用の空調モードを設定する乗場空調設定部３６と、それぞれの空調設定部３４，３６で設定された空調モードに基づいて乗りかご１０又は乗場２２の空調を行う空調切換制御部３８と、を有して構成されている。空気調和制御装置３２の詳細な説明は後述するが、本実施形態において、空気調和制御装置３２は、通常は、乗場２２の空調を行い、乗りかご１０が空気調和機３０が設置された所定階の乗場２２に停止したときに、乗りかご２２の空調を行う。
【００２４】
空気調和機３０は、所定階の乗場２２に設けられる。例えば、１階又は３階の所定階の乗場２２に設けられ、どの乗場２２に設けるかは適宜決定することができる。なお、空気調和機３０は、複数階に設けることが好ましい。複数の乗場２２に空気調和機３０を設ければ、その中の一台が故障しても乗りかご１０の空調に対する支障を少なくすることができる。本実施形態において、空気調和機３０は乗場２２のドア上部に備えられている。
【００２５】
本実施形態の空気調和機３０は、設定温度になると空気調和機の機能を作動／停止させる間欠運転により空気調和を行う。本発明において、設定温度とは、上限温度、下限温度の２種類を含む。冷房運転の場合、所望の室温として設定された温度が下限温度とされ、下限温度から所定温度上昇した温度（下限温度＋２℃）が上限温度とされる。空気調和機３０は、内部に備えられた温度センサ（図示せず）によって乗場２２の室温を検知し、乗場２２の室温と設定温度とを比較し、室温が上限温度になると圧縮機（図示せず）を作動し、冷風を送風し、冷風によって室温が低下し始め、温度センサが下限温度を検知すると、圧縮機を停止し、乗場２２の空気の単純送風を行う。このように、空気調和機３０は、その機能の全部又は一部、上述した例では圧縮機を間欠的に作動／停止させて空気調和を行っている。なお、暖房運転の場合は、所望の室温として設定された温度が上限温度とされ、上限温度から所定温度低い温度（例えば上限温度−２℃）が下限温度とされる。
【００２６】
空気調和機３０は、空気調和機３０で空調された空気の吹き出し口として、本実施形態においては、乗りかご１０内に放出する乗りかご用吹き出し口４０と、空調された空気を乗場２２に放出する乗場用吹き出し口４２と、を有している。また、空気調和機３０の空気放出流路には、切り換えダンパ４４が設けられ、切り換えダンパ４４は、空調された空気の放出を乗りかご用吹き出し口４０と乗場用吹き出し口４２へ切り換える。
【００２７】
次に、乗りかご１０側の構成について説明する。
【００２８】
乗りかご１０には、乗りかご１０の天井に空気調和機３０から放出された空気を取り入れる取り入れ口４６が設けられている。この取り入れ口４６は、乗りかご１０が乗場２２に停止した状態（乗降可能な状態）で、空気調和機３０の乗りかご用吹き出し口４０と対向する位置に設けられている。さらに、取り入れ口４６は、空調された空気が流通するダクト４８と、ダクト４８を連通、非連通に切り換えるダンパ５０と、を備えている。ダクト４８と乗りかご１０の天井との設置部分には、エアフィルタ５２が備えられ、粉塵の侵入を防止している。これにより、ダンパ５０が切り換えられ、取り入れ口４６は、乗りかご用吹き出し口４０から空調された空気を取り入れることができる。また、乗りかご１０の天井には、乗りかご１０内の空気を排出する排気口５４が設けられている。
【００２９】
更に、乗りかご１０内の温度を検知するかご内温度センサ５６、乗りかご１０内の圧力を検知するかご内圧力センサ５８が設けられ、これらの検出値は、空調切換制御部３８に入力される。
【００３０】
次に、エレベータの乗りかご空調システムの空気調和制御装置３２の特徴的な動作について説明する。図３は、乗場を空調している様子を示す図であり、図４は、乗りかごを空調している様子を示す図である。
【００３１】
空気調和制御装置３２の乗りかご空調設定部３４には、乗りかご用の空調モードを設定でき、乗場空調設定部３６には、乗場用の空調モードを設定できる。例えば、所望の温度設定（乗りかごは２４℃で、乗場は２６℃等）、冷房又は暖房か、風量設定等それぞれ異なる設定が可能であり、それぞれ冷房と暖房のように異なる設定もすることができる。
【００３２】
空調制御装置３２の空調切換制御部３８には、図２に示すように、エレベータ制御装置１８から乗りかご１０の行き先階情報、乗りかご１０の停止階の着床情報が供給され、かご内温度センサ５６及びかご内圧力センサ５８からそれぞれの検出値が供給される。空調切換制御部３８は、空調設定部３４，３６に設定されれた空調モードとこれらの入力情報及び検出値に基づいて空調制御を行っている。具体的には、空気調和機３０、乗りかご１０のダンパ５０、排気口５４等を制御して乗場２２、乗りかご１０の空調を行う。
【００３３】
まず、乗場２２の空調について説明する。空気調和制御装置３２は、通常は、乗場空調設定部３６で設定された乗場用の空調モードに基づいて乗場２２の空調を行っている。すなわち、空気調和機３０の温度センサで検知された乗場２２の室温に基づいて、設定温度を維持する様に空気調和機３０の機能を作動／停止させる間欠運転を行っている。具体的な機構については、図３に示すように、空調切換制御部３８は、空気調和機３０の切り換えダンパ４４を切り換えて、空調された空気を乗場用吹き出し口４２から吹き出させる（図３の矢印で空気の流れを示す）。また、乗りかご側の機構に対しては、空調切換制御部３８は、乗りかご１０のダクト４８のダンパ５０の向きを替えてダクト４８を非連通にし、乗りかご１０の走行中に昇降路２０からの粉塵が乗りかご１０内に侵入することを防止する。また、排気口５４を閉じ、乗りかご１０内の空気の排出を行わないように制御する。
【００３４】
次に、乗りかご１０の空調について説明する。空調切換制御部３８に、かご内温度センサ５６から乗りかご１０内の温度検出値が供給される。空調切換制御部３８は、例えば、乗りかご１０内の温度と乗りかご用の空調モードで設定された設定温度を比較し、乗りかご１０内の空調が必要かを判断する。例えば、空調切換制御部３８は、乗りかご１０の空調が冷房である場合、空調切換制御部３８は、かご内温度センサ５６から上限温度が供給されると、乗りかご１０の空調が必要であると判断する。乗りかご１０の空調が必要と判断されると、乗りかご１０の空調のスタンバイ状態となる。このようなスタンバイ状態で、空調切換制御部３８に、エレベータ制御装置１８から乗りかご１０が空気調和機３０の設置階の乗場２２に停止した着床情報が供給されると、空調切換制御部３８は、乗りかご１０の空調を行う。すなわち、空調切換制御部３８は、空気調和機３０を乗りかご空調設定部３４で設定された空調モードで運転する。また、空調切換制御部３８は、図４に示す様に、空気調和機３０の切り換えダンパ４４を切り換えて、空調された空気を乗りかご用吹き出し口４０から吹き出させる。また、空調切換制御部３８、乗りかご１０のダクト４８のダンパ５０の向きを替えてダクト４８を連通にし、取り入れ口４６から空調された空気を取り入れると共に、排気口５４を開き乗りかご１０内の空気の排出を行う。これにより、空気調和機３０からの空調された空気を乗りかご内に取り入れることができる。また、排気口５４から乗りかご１０内の空気を排出するので換気を乗りかご１０が乗場２２の短い停止時間中にスムーズに行うことができる。なお、図４において、空気の流れを矢印で示している。
【００３５】
また、乗りかご１０の空調中において、乗りかご１０内の圧力を昇降路２０の圧力より高く保つように排気口５４からの空気の排出量を調整しても好適である。本実施形態においては、かご内圧力センサ５８が乗りかご１０内の圧力を検知しており、この検出値は空調切換制御部３８に供給されている。本実施形態においては、昇降路２０の気圧を１気圧とみなして、空調切換制御部３８は、乗りかご１０内の圧力が１気圧以下にならないように排気口５４の開度を調整し乗りかご１０の空気の排出量を調整する。これにより、乗りかご１０の内圧を外部の昇降路２０より高くすることができ、乗場側の吹き出し口４０と取り入れ口４６の隙間等から粉塵が侵入することを防止することができる。
【００３６】
所定階の乗場２２における乗りかご１０の空調は、乗りかご１０の温度が設定温度（冷房の場合には下限温度）になるか若しくは乗りかご１０が昇降するまで行われる。乗りかご１０の昇降までに設定温度に達していない場合には、再度乗りかご１０が所定階の乗場２２に停止したときに空調が行われる。
【００３７】
また、本実施形態において、乗りかご１０の空調に先だって空調準備運転を行っても好適である。空調切換制御部３８は、乗りかご１０の空調が必要と判断されている状態において、エレベータ制御装置１８から乗りかごの行き先が所定階の乗場２２であると供給されると、空気調和機３０を乗りかご用の空調準備運転に切り換える。例えば、乗場の室温が設定温度に達し、空気調和機３０の機能が停止されている場合に、空気調和機３０の機能を作動させる。具体的には、圧縮機を運転させ予熱させておくことが考えられる。乗りかごが所定階の乗場２２に停止したら、上述したように乗りかご１０の空調を行う。この空気調和機３０の空調準備運転により、乗りかご１０の乗場２２の短い停止時間中に効率的に乗りかご１０の空調を行うことができる。
【００３８】
次に、エレベータの乗りかご空調システムの全体作用について説明する。図５は、エレベータの乗りかご空調システムの全体作用を説明するフローチャートである。この場合において、冷房運転を例に取り説明する。
【００３９】
空調切換制御部３８は、図３に示すようにダンパ等を制御させて乗場２２を空調し、乗りかご１０は昇降路２０を昇降している（ｓ１０）。空調切換制御部３８にかご内温度センサ５６から検出値が供給され、空調切換制御部３８は、例えば乗りかご１０内の温度と上限温度と比較し乗りかご１０の空調が必要か否か判断する（ｓ１２）。乗りかご１０内の温度が上限温度を超えている場合、空調切換制御部３８は乗りかご１０の空調を必要と判断する（ｓ１２でＹｅｓ）。エレベータ制御装置１８から乗りかご１０の行き先階が所定階の乗場２２であると供給されると（ｓ１４でＹｅｓ）、空調切換制御部３８は、空気調和機３０を乗りかご用の空調準備運転に切り換える（ｓ１６）。エレベータ制御装置１８から乗りかご１０の停止階が所定階の乗場２２であると供給されると（ｓ１８でＹｅｓ）、空調切換制御部３８は、乗りかご１０の空調を行う（ｓ２０）。すなわち、図４に示すように、空調切換制御部３８は、切り換えダンパ４４を切り換え、空調された空気を乗りかご用吹き出し口４０から放出させる。空調切換制御部３８は、ダクト４８のダンパ５０を切り換え、取り入れ口４６から空調された空気を取り入れ、排気口５４から乗りかごの空気を排出させる。これにより、乗りかご１０内の空調を行うことができる。空調切換制御部３８は、かご内温度センサ５６がかご内温度を検知し、設定温度に達し乗りかご１０の空調を終了するか否か判断する（ｓ２２）。かご内の温度が下限温度に達し空調を終了する場合（ｓ２２でＹｅｓ）、空調切換制御部３８は、ｓ１０に戻り乗場２２の空調を行う。かご内の温度が下限温度に達せず（ｓ２２でＮｏ）、乗りかご１０が昇降すると（ｓ２４）、ｓ１４に戻りそれ以降のサイクルを繰り返す。なお、ｓ１２，ｓ１４，ｓ１６，ｓ１８でＮｏの場合は、それぞれ図に示すステップに戻り処理を継続する。
【００４０】
なお、本実施形態において、乗りかごの停止階情報、乗りかごの行き先階情報は、エレベータ制御装置から供給されているが、乗りかごの停止階情報、行き先階を検知するセンサを別途設け、制御装置に入力する様にしても良い。
【図面の簡単な説明】
【００４１】
【図１】実施形態のエレベータの乗りかご空調システムを適用したエレベータの構成を示す図である。
【図２】実施形態のエレベータの乗りかご空調システムの機能を示すブロック図である。
【図３】乗場を空調している様子を示す図である。
【図４】乗りかごを空調している様子を示す図である。
【図５】実施形態のエレベータの乗りかご空調システムの全体作用を説明するフローチャートである。
【符号の説明】
【００４２】
１０  乗りかご、１２  カウンターウェイト、１４  主索、１６  巻き上げ機、１８  エレベータ制御装置、２０  昇降路、２２  乗場、３０  空気調和機、３２  空気調和制御装置、３４  乗りかご空調設定部、３６  乗場空調設定部、３８  空調切換制御部、４０  乗りかご用吹き出し口、４２  乗場用吹き出し口、４４  ダンパ、４６  取り入れ口、４８  ダクト、５０  ダンパ、５２  エアフィルタ、５４  排気口、５６  かご内温度センサ、５８  かご内圧力センサ。
【図１】
2005298113.tif 000003
【図２】
2005298113.tif 000004
【図３】
2005298113.tif 000005
【図４】
2005298113.tif 000006
【図５】
2005298113.tif 000007